(57)【要約】【課題】被施術者の肌に微弱電流を流しつつマッサージを行うことができる美容器具を提供する。【解決手段】美容器具１０は、本体１２と、本体１２に設けられた少なくとも１個の肌用電極１４と、肌用電極１４と導通した導電部１８と、を備えている。肌用電極１４を被施術者の肌に押当てて、外部から導電部１８を介して肌用電極１４に供給された微弱電流を肌に流す。【選択図】図２
2015150271.tif 000002
【特許請求の範囲】
【請求項１】
本体と、
前記本体に隣接して設けられた少なくとも１個の肌用電極と、
前記肌用電極と導通した導電部と、を備え、
前記肌用電極を被施術者の肌に押当てて、外部から前記導電部を介して前記肌用電極に供給された微弱電流を前記肌に流す美容器具。
【請求項２】
互いに電気的に絶縁された前記肌用電極が２個設けられ、２個の前記肌用電極を同時に前記肌に押当てて、一方の前記肌用電極と他方の前記肌用電極との間にある前記肌に前記微弱電流を流す請求項１に記載の美容器具。
【請求項３】
前記肌用電極がかっさ板の押当て部である、請求項１又は２に記載の美容器具。
【請求項４】
前記肌用電極が円鍼の鍼部である、請求項１又は２に記載の美容器具。
【請求項５】
前記肌用電極がローラ鍼の第１鍼部又は第２鍼部である、請求項１又は２に記載の美容器具。
【請求項６】
前記肌用電極がチタン又はチタン合金からなる請求項１〜５のいずれか一項に記載の美容器具。
【発明の詳細な説明】
【技術分野】
【０００１】
本発明は、微弱電流を流しつつ使用する美容器具に関する。
【背景技術】
【０００２】
本発明に係る美容器具に関連して、例えば特許文献１の美容器具が公知である。特許文献１の美容器具は、本体ケースに肌用電極とグリップ電極とが設けられており、肌用電極とグリップ電極とで肌面に電流を供給するものである。より具体的には、肌用電極が美容用液を含浸する綿棒と綿棒を保持するホルダーとで構成されており、ホルダーは、綿棒の軸部を受け入れる挿通穴と、挿通穴の入口に設けられ、綿棒の綿球部の周面と接触して、電流を綿球部へ供給する接触端子とを含んでいる。このような構造を有することにより、入り隅状の肌面、目尻、唇などの細かな部分の美容処理を的確に行うことができる。
【先行技術文献】
【特許文献】
【０００３】
【特許文献１】特開２０１３−２２３５３号公報
【発明の概要】
【発明が解決しようとする課題】
【０００４】
人間の細胞の活動に必要なエネルギーは、細胞内のＡＴＰ（アデノシン三燐酸）が分解されるときに発生し、それが利用されている。ＡＴＰは細胞内のミトコンドリアにより合成されており、微弱電流（１０〜１０００μＡ）を肌に流すことにより、ミトコンドリアによるＡＴＰの合成を促進する。これにより、細胞の代謝が活性化し、細胞の修復、再生を円滑に行うと共に、筋肉を調整、回復、改善させることができる。
【０００５】
特許文献１に開示された美容器具は、グリップ電極の極性が陰性になり美容溶液が含浸された綿球部（肌用電極）の極性が陽性になるように電圧の向きを設定したときに、グリップ電極を握った状態で綿球部を肌面に接触させることにより、グリップ電極と綿球部を導通させて肌面に効果的に電流を流す。これにより、イオン導入を行って美容溶液を肌に浸透させることができる。しかし、特許文献１の美容器具は、肌面、目尻、唇などの細かい部分の美容処理を行うことが目的であり、肌に微弱電流を流して細胞の代謝を活性化するものではない。また、特許文献１には具体的な電流値についての記載はない。
【０００６】
上記問題に鑑み、被施術者の肌に微弱電流を流しつつマッサージを行うことができる美容器具が求められている。
【課題を解決するための手段】
【０００７】
上記課題を解決するために、本発明に係る美容器具の特徴構成は、本体と、前記本体に隣接して設けられた少なくとも１個の肌用電極と、前記肌用電極と導通した導電部と、を備え、前記肌用電極を被施術者の肌に押当てて、外部から前記導電部を介して前記肌用電極に供給された微弱電流を前記肌に流す点にある。
【０００８】
施術者は、２個の美容器具の一方を右手、他方を左手で把持し、それぞれの肌用電極を被施術者の肌に少し距離を空けた状態で押当てる。これにより、一方の美容器具の肌用電極と他方の美容器具の肌用電極とが被施術者の肌を介して導通し、２個の肌用電極の間にある被施術者の肌に微弱電流が流すことができる。そして、美容器具を押当てたまま被施術者の肌の上で美容器具を動かすことにより、肌に微弱電流を流しつつマッサージを行うことができる。これにより、被施術者の顔の筋肉のコリをほぐし、又、たるみやむくみを取り除くことができる。
【０００９】
本発明に係る美容器具においては、互いに電気的に絶縁された前記肌用電極が２個設けられ、２個の前記肌用電極を同時に前記肌に押当てて、一方の前記肌用電極と他方の前記肌用電極との間にある前記肌に前記微弱電流を流すと好適である。
【００１０】
このような構成とすれば、１個の美容器具で被施術者の肌に微弱電流を流しつつマッサージを行うことができる。
【００１１】
本発明に係る美容器具においては、前記肌用電極がかっさ板の押当て部であると好適である。
【００１２】
このような構成とすれば、かっさ板を押当てたまま被施術者の肌の上でかっさ板を動かすことにより、肌に微弱電流を流しつつマッサージを行うことができる。
【００１３】
本発明に係る美容器具においては、前記肌用電極が円鍼の鍼部であると好適である。
【００１４】
このような構成とすれば、円鍼を押当てたまま被施術者の肌の上で円鍼を動かすことにより、肌に微弱電流を流しつつマッサージを行うことができる。
【００１５】
本発明に係る美容器具においては、前記肌用電極がローラ鍼の第１鍼部又は第２鍼部であると好適である。
【００１６】
このような構成とすれば、ローラ鍼を押当てたまま被施術者の肌の上でローラ鍼を動かすことにより第１鍼部と第２鍼部とが回転し、第１鍼部と第２鍼部の間の肌に微弱電流を流しつつマッサージを行うことができる。
【００１７】
本発明に係る美容器具においては、前記肌用電極がチタン又はチタン合金からなると好適である。
【図面の簡単な説明】
【００１８】
【図１】第１実施形態に係るかっさ板の構造を表す平面図である。
【図２】２個のかっさ板を微弱電流発生装置に接続した状態を表す概略図である。
【図３】かっさ板を被施術者に押当ててマッサージを行ってる状態を表す説明図である。
【図４】絶縁物を除去したかっさ板の構造を表す平面図である。
【図５】第１実施形態の変形例に係るかっさ板の構造を表す平面図である。
【図６】第２実施形態に係る円鍼の構造を表す斜視図である。
【図７】第２実施形態の変形例に係る円鍼の構造を表す斜視図である。
【図８】第３実施形態に係るローラ鍼の構造を表す斜視図である。
【発明を実施するための形態】
【００１９】
〔第１実施形態〕
以下、本発明の第１実施形態について、図面を用いて詳細に説明する。図１に本実施形態に係るかっさ板１０の概略図を示す。かっさ板１０は美容器具の一例である。かっさ板１０は、均一な厚さのチタン又はチタン合金等の導電体でできており、長手方向で中央部分である本体１２と、本体１２に隣接した一方の端部で被施術者６の肌７に押当てる部分である押当て部１４と、他方の端部である接続部１６と、接続部１６と電気的に接続される導電部１８とを備えている。押当て部１４は肌用電極の一例である。本体１２から接続部１６にかけては、樹脂などの絶縁物により表面が覆われており、施術者５が素手で本体１２を把持しても施術者５には導電しないように構成されている。
【００２０】
導電部１８は被覆電線からなり、その一方の端部が接続部１６と半田付け、溶接その他の方法により電気的に接続されている。これにより、導電部１８と押当て部１４とは導通している。図２に示すように、導電部１８の他方の端部にはコネクタ２０が取り付けられており、これにより、微弱電流発生装置２２の出力端子２４に接続されている。
【００２１】
微弱電流発生装置２２は、１０〜１０００μＡの範囲で任意の大きさの低周波電流（以下、「微弱電流」と称する）を発生させる装置である。周波数は０．３Ｈｚ〜１０００Ｈｚの範囲で任意の周波数を使用可能である。微弱電流発生装置２２は出力端子２４を２個備えており、２個のかっさ板１０を接続して使用する。
【００２２】
図３に示すように、施術者５は、微弱電流発生装置２２から微弱電流を出力させた状態で、２個のかっさ板１０、１０の本体１２、１２の一方を右手、他方を左手で把持し、押当て部１４、１４を被施術者６の肌７に少し距離を空けた状態で押当てる。これにより、一方のかっさ板１０の押当て部１４と他方のかっさ板１０の押当て部１４とが被施術者６の肌７を介して導通し、押当て部１４、１４の間にある被施術者６の肌７に微弱電流が流れる。そして、かっさ板１０を押当てたまま被施術者６の肌７の上でかっさ板１０を動かすことにより、肌７に微弱電流を流しつつマッサージを行うことができる。
【００２３】
人間の細胞の活動に必要なエネルギーは、細胞内のＡＴＰ（アデノシン三燐酸）が分解されるときに発生し、それが利用されている。ＡＴＰは細胞内のミトコンドリアにより合成されており、微弱電流を肌７に流すことにより、ミトコンドリアによるＡＴＰの合成を促進する。これにより、細胞の代謝が活性化し、細胞の修復、再生を円滑に行うと共に、筋肉を調整、回復、改善させることができる。よって、かっさ板１０により肌７に微弱電流を流しつつマッサージを行うことにより、被施術者６の顔の筋肉のコリをほぐし、又、たるみやむくみを取り除くことができる。このとき、予めマッサージを行う箇所の近辺に鍼（美容鍼）を打っておくと、これらの効果をさらに高めることができる。
【００２４】
本実施形態においては、本体１２から接続部１６にかけて樹脂などの絶縁物で表面を覆ったが、必ずしも絶縁物で表面を覆う必要はない。図４に示すように、絶縁物で表面が覆われていないかっさ板１０であってもよい。この場合は、施術者５はゴム手袋等の絶縁物を手に装着してから本体１２を把持することにより、被施術者６の肌７にのみに微弱電流を流すことができる。
【００２５】
〔第１実施形態の変形例〕
以下、第１実施形態に係るかっさ板１０の変形例について図面を用いて説明する。第１実施形態においてはかっさ板１０の全体がチタン又はチタン合金等の導電体により構成されていたが、本変形例に係るかっさ板１０においては、図５に示すように、押当て部１４にのみチタン又はチタン合金が使用され、本体１２その他の部分には樹脂が使用されている。本体１２の樹脂は、押当て部１４の一部を覆い、これにより本体１２と押当て部１４は一体化されている。導電部１８は本体１２の内部を通り、押当て部１４と直接電気的に接続されている。
【００２６】
本変形例に係るかっさ板１０についても微弱電流発生装置２２に接続し、押当て部１４、１４を被施術者６の肌７に少し距離を空けた状態で押当てて、その状態でかっさ板１０を動かすことにより、押当て部１４、１４の間にある被施術者６の肌７に微弱電流を流しつつマッサージを行うことができる。これにより、被施術者６の顔の筋肉のコリをほぐし、又、たるみやむくみを取り除くことができる。
【００２７】
〔第２実施形態及びその変形例〕
次に、本発明の第２実施形態に係る円鍼３０について、図面を用いて詳細に説明する。円鍼３０は美容器具の一例である。図６に示すように、円鍼３０は本体３２と、鍼部３４と、導電部３８とを備えている。鍼部３４は肌用電極の一例である。鍼部３４は、チタン又はチタン合金等の導電体からなる球状鍼部分３４ａと支持部分３４ｂとからなる。球状鍼部分３４ａと支持部分３４ｂとは一体的に形成されている。本体３２は樹脂からなる円筒形状を有しており、支持部分３４ｂの一部分が本体３２の内部に埋まることにより、本体３２と鍼部３４とは一体化されている。導電部３８は本体３２の内部空間を通り、支持部分３４ｂと直接電気的に接続している。
【００２８】
次に、本発明の第２実施形態の変形例に係る円鍼３０について、図面を用いて詳細に説明する。図７に示すように、本変形例に係る円鍼３０は第２実施形態に係る円鍼３０とは鍼部３４の形状が異なっているだけであり、他の部分の構造は同じである。具体的には、本変形例の鍼部３４は、球状鍼部分３４ａの代わりに円板状鍼部分３４ｃを備えている。
【００２９】
本実施形態及びその変形例に係る２個の円鍼３０、３０を微弱電流発生装置２２に接続し、施術者５は、２個の円鍼３０、３０の本体３２、３２の一方を右手、他方を左手で把持する。施術者５は、鍼部３４、３４を被施術者６の肌７に少し距離を空けた状態で押当てて、その状態で円鍼３０を動かすことにより、鍼部３４、３４の間にある被施術者６の肌７に微弱電流を流しつつマッサージを行うことができる。これにより、被施術者６の顔の筋肉のコリをほぐし、又、たるみやむくみを取り除くことができる。
【００３０】
〔第３実施形態〕
次に、本発明の第３実施形態に係るローラ鍼５０について、図面を用いて詳細に説明する。ローラ鍼５０は美容器具の一例である。図８に示すように、ローラ鍼５０は本体５２と、第１鍼部５４と、第２鍼部５６と、導電部５８とからなる。第１鍼部５４と第２鍼部５６はそれぞれ肌用電極の一例である。
【００３１】
第１鍼部５４と第２鍼部５６とは、チタン又はチタン合金等の導電体からなる。第１鍼部５４は、円筒形状で外周側面に軸心方向に沿う複数の突起を有する第１ローラ鍼部分５４ａと、第１ローラ鍼部分５４ａの軸心を貫通し第１ローラ鍼部分５４ａを回転可能に支持する第１軸５４ｃと、第１軸５４ｃを保持する第１保持部分５４ｂとからなる。第２鍼部５６は、円筒形状で外周側面に軸心方向に沿う複数の突起を有する第２ローラ鍼部分５６ａと、第２ローラ鍼部分５６ａの軸心を貫通し第２ローラ鍼部分５６ａを回転可能に支持する第２軸５６ｃと、第２軸５６ｃを保持する第２保持部分５６ｂとからなる。
【００３２】
本体５２は樹脂からなる円筒形状を有しており、その一方端部には固定部５３が設けられ、そこに第１鍼部５４と第２鍼部５６とが互いに接触しない程度に距離を空けて固定されている。導電部５８は互いに絶縁された２本の被覆電線からなり、本体５２の内部空間を通り、第１鍼部５４と第２鍼部５６とにそれぞれ直接電気的に接続されている。第１鍼部５４と第２鍼部５６とは互いに絶縁されている。導電部５８の他方の端部は二股に分岐しており、それぞれにコネクタ２０、２０が取り付けられている。
【００３３】
本実施形態に係るローラ鍼５０を微弱電流発生装置２２に接続し、施術者５は、ローラ鍼５０の本体５２を把持する。施術者５は、第１鍼部５４と第２鍼部５６とを被施術者６の肌７に押当てて、その状態でローラ鍼５０を動かすことにより、第１ローラ鍼部分５４ａと第２ローラ鍼部分５６ａとが回転し、第１鍼部５４と第２鍼部５６との間にある被施術者６の肌７に微弱電流を流しつつマッサージを行うことができる。ローラ鍼５０は、１個につき第１鍼部５４と第２鍼部５６の２個の鍼部を有し、その間にある被施術者６の肌７に微弱電流を流すことができるので、施術者５は片手で微弱電流を流しつつマッサージを行うことができる。これにより、被施術者６の顔の筋肉のコリをほぐし、又、たるみやむくみを取り除くことができる。
【００３４】
第１実施形態及びその変形例、第２実施形態及びその変形例においては、１個のかっさ板１０、円鍼３０につき、それぞれ１個の肌用電極（押当て部１４、鍼部３４）を備えていたが、この形状に限られるものではない。第３実施形態のように、１個のかっさ板１０、円鍼３０につき、絶縁された２個の肌用電極（押当て部１４、鍼部３４）を有する構造であってもよい。
【００３５】
逆に、第３実施形態のローラ鍼５０においては、１個のローラ鍼５０につき、絶縁された第１鍼部５４と第２鍼部５６とを備えていたが、この形状に限られるものではない。第１実施形態及びその変形例、第２実施形態及びその変形例のように、１個のローラ鍼５０につき、いずれか１個の肌用電極（例えば第１鍼部５４）のみを有する構造であってもよい。
【産業上の利用可能性】
【００３６】
本発明は、微弱電流を流しつつ使用する美容器具に利用することが可能である。
【符号の説明】
【００３７】
１０        かっさ板（美容器具）
１２、３２、５２    本体
１４        押し当て部（肌用電極）
１８、３８、５８    導電部
３０        円鍼（美容器具）
３４        鍼部（肌用電極）
５０        ローラ鍼（美容器具）
５４        第１鍼部（肌用電極）
５６        第２鍼部（肌用電極）
【図１】
2015150271.tif 000003
【図２】
2015150271.tif 000004
【図３】
2015150271.tif 000005
【図４】
2015150271.tif 000006
【図５】
2015150271.tif 000007
【図６】
2015150271.tif 000008
【図７】
2015150271.tif 000009
【図８】
2015150271.tif 000010